(57)【要約】【課題】  炎元来の形態である空中での存在感を有し、境界が不明瞭な発光領域を備え、この発光領域が炎のもつ独特の光彩的質感、即ちよりリアルな炎の再現（模倣）をかもしだすことができる装飾用灯具を提供する。【解決手段】  装飾用灯具１は、電気的光源２と、この電気的光源２に軸方向（光の照射方向）の間隔Ｌを隔てて対向配置されるとともに、電気的光源２から照射される光を透過させて放射する透明もしくは半透明材料からなる照明部３とを備え、照明部３の下部領域３ａ以外の表面には、極微細に凹凸させた粗面部３Ａを設けてある。電気的光源２の点灯により照射される光は、照明部３の表面に設けた粗面部３Ａのみから乱反射して放射され、空中での存在感を有し、境界が不明瞭な粗面部３Ａの発光領域によって炎のもつ独特の光彩的質感、即ちよりリアルな炎の再現（模倣）をかもしだして照明する。【選択図】        図１
2005095335.tif 000002
【特許請求の範囲】
【請求項１】
光源と、この光源に対向配置されるとともに、該光源から照射される光を透過させて放射する照明部とを備え、この照明部の表面に前記透過光を乱反射させて放射する粗面部が設けられていることを特徴とする装飾用灯具。
【請求項２】
請求項１に記載の装飾用灯具において、
前記照明部に前記光源から照射される光を透過させて放射する着色された芯体が設けられていることを特徴とする装飾用灯具。
【請求項３】
請求項１または請求項２のいずれかに記載の装飾用灯具において、
前記光源と、前記粗面部を設けた照明部が複数設けられていることを特徴とする装飾用灯具。
【請求項４】
請求項３に記載の装飾用灯具において、
前記光源と、前記粗面部を設けた照明部が同数に設定されていることを特徴とする装飾用灯具。
【発明の詳細な説明】
【技術分野】
【０００１】
本発明は、装飾用灯具に関し、特にろうそくの自然炎が有する風情や趣をかもしだすことができる装飾用灯具に関するものである。
【背景技術】
【０００２】
従来、テーブル、仏壇あるいは祭壇などに立てるろうそくの代りに用いられて、ろうそくの炎のもつ独特の光彩効果と揺らぎ照明効果を模擬するように構成した装飾用灯具が以下の特許文献１において提案されている。
【０００３】
【特許文献１】特開平６−５２７０９号公報
【０００４】
この装飾用灯具は、長尺筒状に形成した中空体に、電磁石と、この電磁石を断続励磁する発振回路を内装し、かつ点灯ランプを取着した鉄錘を前記電磁石の磁界内に臨ませて遊動支持するとともに、前記点灯ランプの発光部を前記中空体の先端部上面から突出させ、電磁石が繰り返す断続励磁に連携して点灯ランプを不規則方向に揺動させるように構成してある。このため、ろうそくがもつ燃焼煙の排出、風などの空気流の影響による消炎および火災などの不都合を確実に回避して、ろうそくの炎のもつ独特の光彩効果と揺らぎ照明効果を模倣することができるとされている。
【０００５】
すなわち、電源スイッチをＯＮすると、点灯ランプが発光するとともに、発振回路に電源が供給されて電磁石を励磁する。そして、この励磁期間内に鉄錘が電磁石の鉄心側へ吸引され、また鉄心から離れる方向に移動することによって、点灯ランプが発光状態を保持したまま上下動を中心とする不規則方向に突き上げられ、このような点灯ランプの不規則方向への揺動で、ろうそくの炎のもつ独特の光彩効果と揺らぎ照明効果を模倣する。
【発明の開示】
【発明が解決しようとする課題】
【０００６】
しかし、前記文献に記載された従来の装飾用灯具では、点灯ランプが発光状態を保持したまま上下動を中心とする不規則方向に突き上げられ揺動することで、揺らぎを模倣することはできるものの、単に発光している点灯ランプでは、炎元来の形態を模倣することができない。すなわち、空中に存在し、境界が不明瞭な発光領域を有し、この発光領域がろうそくの炎のもつ独特の光彩的質感、即ちよりリアルな炎の再現（模倣）をかもしだすことができない。したがって、ろうそくの炎のもつ独特の光彩効果を発揮することができない問題がある。
【０００７】
本発明は、このような問題を解決するものであって、その目的とするところは、炎元来の形態である空中での存在感を有し、境界が不明瞭な発光領域を備え、この発光領域が炎のもつ独特の光彩的質感、即ちよりリアルな炎の再現（模倣）をかもしだすことができる装飾用灯具を提供することにある。
【課題を解決するための手段】
【０００８】
本発明は、光源と、この光源に対向配置されるとともに、該光源から照射される光を透過させて放射する照明部とを備え、この照明部の表面に前記透過光を乱反射させて放射する粗面部が設けられていることを特徴とするものである。
【０００９】
このようにすることで、光源から照射される光を照明部の表面に設けた粗面部のみから乱反射させて光を放射することができるので、空中での存在感を有し、境界が不明瞭な粗面部の発光領域によって炎のもつ独特の光彩的質感、即ちよりリアルな炎の再現（模倣）をかもしだして照明すことができる。
【００１０】
本発明においては、照明部に光源から照射される光を透過させて放射する着色された芯体が設けられている。これによると、照明部としてろうそくの炎形に形成したものを使用し、かつこの照明部に赤色に着色した光透過性の芯体を設けることで、光源から照射される光を照明部の表面に設けた粗面部のみから乱反射させて光を放射することにより、全体として、空中での存在感を有し、境界が不明瞭な粗面部の発光領域によって炎のもつ独特の光彩的質感、即ちよりリアルなろうそくの炎の再現（模倣）をかもしだした照明を行うことができるとともに、前記芯体の赤色発光先端部によって、ろうそくの芯を模倣して視認させることができる。
【００１１】
また、本発明においては、光源と、前記粗面部を設けた照明部が複数設けられている。これによると、一度に複数の照明部それぞれの表面に設けた粗面部のみから乱反射させて光を放射して、たとえば、焚き火炎を模倣した照明を表現することができる。
【００１２】
さらに、本発明においては、光源と粗面部を設けた照明部とを同数に設定してもよい。これによると、前記光源を電気的光源によって構成し、この電気的光源と電源とを接続する電気的回路に発振回路を設けることで、複数の照明部を点滅させることができ、電源と電気的光源を接続する電気的回路に走査回路を設けることで、複数の照明部を設定した順番で点灯または消灯させることができる。
【発明の効果】
【００１３】
本発明によれば、光源から照射される光を照明部の表面に設けた粗面部から乱反射させて光を放射することにより、空中での存在感を有し、境界が不明瞭な粗面部の発光領域によって炎のもつ独特の光彩的質感、即ちよりリアルな炎の再現（模倣）をかもしだして照明することができる。
【発明を実施するための最良の形態】
【００１４】
図１は、本発明の装飾用灯具に係る第１実施形態を示す正面図である。この図において、装飾用灯具１は、電気的光源２と、この電気的光源２に対向配置されるとともに、電気的光源２から照射される光を透過させて放射する照明部３とを備えている。この実施形態においては、前記電気的光源２に軸方向（光の照射方向）の間隔Ｌを隔てて対向配置されているが、この間隔Ｌが存在しない場合でもよく、即ちＬ＝０も含むものである。
【００１５】
電気的光源２は、白熱電球やＬＥＤなどからなり、後述する電源（たとえば、複数の単三乾電池からなる直流電源）或いはその他の直流、または交流電源に電気的に接続される導電端子２ａ，２ｂを備えており、照明部３は、アクリル樹脂、ＡＢＳ樹脂、ガラス、光ファイバーなどの透明もしくは半透明材料によって、ろうそくの炎形に形成されており、その下部領域３ａ以外の表面には、たとえばブラスト加工やヤスリ研削加工などによって極微細に凹凸させた粗面部３Ａを設けてある。
【００１６】
前記電気的光源２と照明部３は、たとえば、ろうそくを模した図２に示す組立状態で使用される。図２において、４は不透明な中空円筒状の支柱で、その上端部にはキャップ５が嵌着されており、このキャップ５の中央部に照明部３の下部領域３ａにおける下端部が挿入されて強固に取付けられている。
【００１７】
支柱４の中空部には、３本の単四乾電池が直列に収容されて電源６を構成し、その上端陽極６ａには、電源６の上側で支柱４の中空部に収容された電気的光源２の一方の導電端子２ａが電気的に接続され、他方の導電端子２ｂは、支柱４の内面に長手方向に配設した幅狭の導電板（図示省略）を介して、電源６の下端陰極６ｂに電気的に接続される。したがって、支柱４の下端部に軸まわりの回動を可能に嵌着した回動式の周知のスイッチ（図示省略）あるいは支柱４の表面に突設したスライドもしくは押しボタン式の周知のスイッチ（図示省略）などの支柱４に装着されているスイッチのＯＮ−ＯＦＦ操作、または、支柱４から外部に導出されて、前記幅狭の導電板と電源６の下端陰極６ｂとを電気的に接続する導電線（図示省略）に介設した手元スイッチのＯＮ−ＯＦＦによって、前記電気的光源２を点灯または消灯させることができる。
【００１８】
前記第１実施形態の構成によれば、図２に示す状態で前述の図示されていないスイッチをＯＮすることで、電気的光源２は点灯され、点灯された電気的光源２から照射される光は、該電気的光源２に軸方向（光の照射方向）の間隔Ｌを隔てて対向配置されている照明部３の表面に設けた粗面部３Ａのみから乱反射して矢印で示すように放射されるので、空中での存在感を有し、境界が不明瞭な粗面部３Ａの発光領域によって炎のもつ独特の光彩的質感をかもしだして照明することができる。
【００１９】
つぎに、本発明の第２実施形態について説明する。図３は、本発明の装飾用灯具に係る第２実施形態を示す正面図である。なお、後述する着色された芯体以外の構造は、図１において説明した第１実施形態と同一であるので、これらの説明は省略し、以下では、着色された芯体について、他の同一部分については同一の符号を付して説明する。
【００２０】
図３において、装飾用灯具１の照明部３における透明もしくは半透明な下部領域３ａの径方向の中心部には、たとえばろうそくの焦げた芯の色（黒色と白色）に模して着色された光ファイバーからなる芯体７が軸方向上向きにのびて下側から挿入されている。
【００２１】
第２実施形態の構成によれば、第１実施形態と同様に、電気的光源２から照射される光を照明部３の表面に設けた粗面部３Ａのみから乱反射させて光を放射することで、全体として、空中での存在感を有し、境界が不明瞭な粗面部３Ａの発光領域によって炎のもつ独特の光彩的質感をかもしだした照明を行うことができるとともに、芯体７の赤色発光先端部７ａによって、ろうそくの芯を模倣して視認させることができるので、ろうそくの炎のもつ独特の光彩的質感をかもしだして照明することができる。
【００２２】
つぎに、本発明の第３実施形態について説明する。図４は、本発明の装飾用灯具に係る第３実施形態を示す正面図である。なお、図１において説明した第１実施形態と同一部分については同一の符号を付して説明する。
【００２３】
図４において、装飾用灯具１は、粗面部３Ａを設けた複数個の照明部３，３…と、これら照明部３，３…のそれぞれに個別に対応する照明部３，３…と同数の電気的光源２，２…（図示省略）とを備えている。複数個の照明部３，３…は、透明または不透明で焚き火の外観を模倣したシェル８の適所に、キャップ５を介して取付けられており、図示されていない電気的光源２，２…は、シェル８の内部に収容して、前記複数個の照明部３，３…のそれぞれに個別に対応して、軸方向（光の照射方向）の間隔Ｌを隔て対向配置されている。なお、１つの電気的光源２から複数個の照明部３，３…に光を照射するように構成してもよい。
【００２４】
第３実施形態の構成によれば、シェル８の表面に突設したスライドもしくはは押しボタン式の周知のスイッチ（図示省略）のＯＮ−ＯＦＦ操作、またはシェル８の外部に引き出して配設した手元スイッチ（図示省略）のＯＮ−ＯＦＦによって、シェル８内に装填した電源６（図示省略）をＯＮ−ＯＦＦして、電気的光源２を点灯または消灯させることができる。したがって、複数個の電気的光源２，２…を同時に点灯することで、一度に複数個の照明部３，３…それぞれの表面に設けた粗面部３Ａから乱反射させて光を放射し、たとえば、焚き火炎を模倣した照明を表現して、ろうそくの炎とは異なった焚き火独特の光彩的質感をかもしだすことができる。
【００２５】
なお、前記第３実施形態において、粗面部３Ａを設けた複数個の照明部３，３…と、これら照明部３，３…のそれぞれに個別に対応する照明部３，３…と同数の電気的光源２，２…（図示省略）とを備えた構造にすることで、電源６と複数個の電気的光源２，２…を接続する電気的回路に周知の発振回路を組み込むことで、複数の照明部３，３…を点滅させることができ、電源６と複数個の電気的光源２，２…を接続する電気的回路に周知の走査回路を組み込むことで、複数の照明部３，３…を走査回路によって設定した順番で点灯または消灯させて、第２実施形態とは異なった独特の光彩的質感をかもしだして照明することができる。
【００２６】
また、図５に示すように、透明または半透明材料からなるグラス形セード９と、このグラス形セード９を立設した中空ベース部１０と、グラス形セード９内に型込めされたろう状の保持材１１とを備えたキャンドル型の装飾体１２を用意し、前記第１，第２実施形態で説明した装飾用灯具１の照明部３の下部領域３ａにおける下端部をろう状の保持材１１の縦孔１１Ａに挿入して、ろう状の保持材１１により照明部３を立設保持するとともに、縦孔１１Ａ内で軸方向（光の照射方向）の間隔Ｌを隔てて照明部３に対向して電気的光源２を配置した状態でテーブル上に設置して、中空ベース部１０に突設した押しボタンスイッチ１３のＯＮ−ＯＦＦ操作によって、該中空ベース部１０に内蔵されている電源６を開閉し、押しボタンスイッチ１３のＯＮ状態で電気的光源２を点灯させることで、キャンドルのような優雅な光彩的質感をかもしだして照明することができる。
【００２７】
なお、前記第３実施形態では、複数個の照明部３，３…によって、焚き火炎を模倣した照明を表現する形態で説明しているが、複数個の照明部３，３…をシャンデリヤ状のシェルに配設することで、シャンデリヤを模倣した光彩的質感をかもしだした照明を表現することができる。
【００２８】
また、上述の各実施形態では、１つの電気的光源２と１つの照明部３或いは複数個の電気的光源２，２…と複数個の照明部３，３…とにより光を照射するように構成しているが、前記した如く、１つの電気的光源２から複数個の照明部３，３…に光を照射するように構成してもよく、また、複数個の電気的光源２，２…から１つの照明部３に光を照射するように構成してもよい。
【図面の簡単な説明】
【００２９】
【図１】本発明の装飾用灯具に係る第１実施形態を示す正面図である。
【図２】装飾用灯具の使用例を示す概略断面図である。
【図３】本発明の装飾用灯具に係る第２実施形態を示す正面図である。
【図４】本発明の装飾用灯具に係る第３実施形態を示す正面図である。
【図５】装飾用灯具の他の使用例を示す概略断面図である。
【符号の説明】
【００３０】
１  装飾用灯具
２  電気的光源（光源）
３  照明部
７  着色された芯体
【図１】
2005095335.tif 000003
【図２】
2005095335.tif 000004
【図３】
2005095335.tif 000005
【図４】
2005095335.tif 000006
【図５】
2005095335.tif 000007